(57)【要約】  【課題】照明器具のベース部材を浴室壁面に精度良く取付けする。  【解決手段】照明器具のベース部材は下端側形材２、上端側形材３、及び前記下端側形材２と上端側形材３との間に配置されるブラケット部材４とからなる。前記下端側形材２の上縁及び上端側形材３の下縁側に対し予め切欠き２ｂ、３ｂを形成しておくとともに、前記ブラケット部材４に係合凸部４ｃを形成しておく。前記下端側形材２を浴室壁面に固定したならば、この下端側形材２の切欠き２ｂにブラケット部材４の係合凸部４ｃを係合させるとともに、ブラケット部材４の壁面取付け板４Ａの下縁を前記下端側形材２に沿わせることによりブラケット部材４を位置決めしビス固定した後、次いで前記上端側形材３の切欠き３ｂを前記ブラケット部材４の係合凸部４ｃに係合させるとともに、上端側形材３を前記ブラケット部材４の壁面取付け板４Ａの上縁に沿わせることによって位置決めしビス固定する。【選択図】図８
2005235626.tif 000002
【特許請求の範囲】
【請求項１】
浴室壁面に取り付けられる照明器具の取付け構造であって、前記照明器具は浴室壁面に取り付けられるベース部材として、正面視で、水平方向に沿って配置される下端側形材、上下方向に間隔をおいて水平方向に沿って配置される上端側形材、及び前記下端側形材と上端側形材との間に配置されるとともに、水平方向に所定の間隔で配置されるブラケット部材とを有し、
前記下端側形材の上縁及び上端側形材の下縁側に対し前記ブラケット部材の取付位置に対応して、予め切欠きを形成しておくとともに、前記ブラケット部材の上下部に夫々前記切欠きに係合し得る係合凸部を形成しておき、
前記ベース部材の壁面への取付けに当たり、前記下端側形材及び上端側形材の内の一方側形材を浴室壁面に固定したならば、この一方側形材の切欠きにブラケット部材の係合凸部を係合させるとともに、ブラケット部材の壁面取付け板の上縁又は下縁を前記一方側形材に沿わせることによりブラケット部材を位置決めしビス固定した後、次いで前記下端側形材及び上端側形材の内の他方側形材の切欠きを前記ブラケット部材の係合凸部に係合させるとともに、他方側形材を前記ブラケット部材の壁面取付け板の上縁又は下縁に沿わせることによって位置決めしビス固定することを特徴とする浴室照明の取付け構造。
【請求項２】
前記下端側形材の下面側に鏡上縁の呑込み溝が形成されており、鏡ユニットを取り付けたならば、前記鏡の上縁に前記下端側形材の呑込み溝を嵌入することにより前記下端側形材を位置決めしビス固定する請求項１記載の浴室照明の取付け構造。
【発明の詳細な説明】
【技術分野】
【０００１】
本発明は、浴室壁面に取付けられる照明器具の取付け構造に関する。
【背景技術】
【０００２】
近年、ユニット式バスにおいては、浴室内に設置される設備についてもユニット化が進んでいる。例えば、下記特許文献１では、照明器具、鏡、水栓金具を集約し、浴室の壁面に設置されてなる浴室用の設備機能パネルにおいて、前記設備機能パネルを、照明器具を取り付ける照明器具パネルと、鏡を取付けるパネル本体と、水栓金具を被覆する水栓金具カバーと、点検口カバーとに分割したユニット浴室設備の構造が開示されている。
【特許文献１】特開２００２−１２９７６２号公報
【発明の開示】
【発明が解決しようとする課題】
【０００３】
確かに、上記特許文献１に開示されるように、機能別に各パネルを分割し、各分割パネルを１つのユニットとしておくことにより施工は著しく省略化されるようになる。しかしながら、照明器具が他のユニットと分離した構造であったり、照明器具が他のユニットに接続されるけれども、各パーツ毎に組立てなければならない構造も多く存在する。この場合、照明器具が単体のユニット化された構造である場合には問題はないが、各パーツ毎に組み付けていく構造の場合に、最初の壁面への取付け部材（ベース材）が例えば、複数のパーツに分割されている場合には、各部材毎に芯出しを行い、ビス固定しなければならず、施工が非常に煩雑であるなどの問題があった。
【０００４】
そこで本発明の主たる課題は、浴室壁面に取り付けられる照明器具に係り、少なくとも壁面の取付け部材（ベース材）が複数存在する場合に、これら各壁面取り付け部材の取付けを簡単にかつ精度良く取付けできるようにし、施工の省略化を図ることにある。
【課題を解決するための手段】
【０００５】
前記課題を解決するために請求項１に係る本発明として、浴室壁面に取り付けられる照明器具の取付け構造であって、前記照明器具は浴室壁面に取り付けられるベース部材として、正面視で、水平方向に沿って配置される下端側形材、上下方向に間隔をおいて水平方向に沿って配置される上端側形材、及び前記下端側形材と上端側形材との間に配置されるとともに、水平方向に所定の間隔で配置されるブラケット部材とを有し、
前記下端側形材の上縁及び上端側形材の下縁側に対し前記ブラケット部材の取付位置に対応して、予め切欠きを形成しておくとともに、前記ブラケット部材の上下部に夫々前記切欠きに係合し得る係合凸部を形成しておき、
前記ベース部材の壁面への取付けに当たり、前記下端側形材及び上端側形材の内の一方側形材を浴室壁面に固定したならば、この一方側形材の切欠きにブラケット部材の係合凸部を係合させるとともに、ブラケット部材の壁面取付け板の上縁又は下縁を前記一方側形材に沿わせることによりブラケット部材を位置決めしビス固定した後、次いで前記下端側形材及び上端側形材の内の他方側形材の切欠きを前記ブラケット部材の係合凸部に係合させるとともに、他方側形材を前記ブラケット部材の壁面取付け板の上縁又は下縁に沿わせることによって位置決めしビス固定することを特徴とする浴室照明の取付け構造が提供される。
【０００６】
請求項２に係る本発明として、前記下端側形材の下面側に鏡上縁の呑込み溝が形成されており、鏡ユニットを取り付けたならば、前記鏡の上縁に前記下端側形材の呑込み溝を嵌入することにより前記下端側形材を位置決めしビス固定する請求項１記載の浴室照明の取付け構造が提供される。
【発明の効果】
【０００７】
以上詳説のとおり本発明によれば、浴室壁面に取り付けられる照明器具に係り、少なくとも壁面の取付け部材（ベース材）が複数存在する場合において、これら各壁面取り付け部材の取付けが簡単にかつ精度良く取付けできるようになり、施工の省略化を図り得るようになる。
【発明を実施するための最良の形態】
【０００８】
以下、本発明の実施の形態について図面を参照しながら詳述する。
図１は浴室壁面に取り付けられた照明器具の平面図及び正面図、図２は照明器具の側面図、図３は断面図、図４は照明器具のベース部材を正面から視た図である。
【０００９】
本照明器具１は、浴室壁面Ｈに取り付けられる鏡ユニットの上縁側に連続して設けられる照明器具である。浴室壁面Ｈに取り付けるためのベース材としては、正面視で、水平方向に沿って配置される下端側形材２、上下方向に間隔をおいて水平方向に沿って配置される上端側形材３、及び前記下端側形材２と上端側形材３との間に配置されるとともに、水平方向に所定の間隔で配置される複数の、図示例では３つのブラケット部材４，４…とを有する構造となっており、前記ブラケット部材４によって正面側不透光部材６（以下、リフレクターという。）が支持され、前記ブラケット部材４の先端上部と上端側形材３との間に上面透光板７が支持され、前記ブラケット部材４の先端下部と下端側形材２との間に下面透光板８が支持されるようになっている。また、内部には照明器具本体５、５が固定され、前記上面透光板７及び下面透光板８から散光するようになっている。
【００１０】
上記照明器具１において、浴室壁面Ｈへの取付け部材（ベース部材）となる下端側形材２、上端側形材３及びブラケット部材４，４…の取付けに際し、本発明が適用される。
【００１１】
前記下端側形材２は、詳細には図６に示されるように、断面略Ｈ形状のアルミ形材であり、下面側には鏡上縁の呑込み溝Ｍが形成されている。また、浴室壁面Ｈ側の垂直壁２Ａには、部材長手方向に適宜の間隔でビス孔２ａ、２ａ…が形成されているとともに、前記垂直壁２Ａの上縁には前記ブラケット部材４の設置部位に対応した位置に、凹状の切欠き２ｂ、２ｂ…が形成されている。浴室壁面Ｈへの取付けは、鏡ユニット（図示せず）を取り付けたならば、前記鏡１０の上縁に前記下端側形材２の呑込み溝Ｍを嵌入することにより前記下端側形材２を位置決めし、前記ビス孔２ａからビスを螺入し固定を図るようにする。なお、本例の場合には前記鏡１０がゲージとなって下端側形材２が位置決めされるが、本照明器具１が独立して浴室壁面Ｈに固定される場合には、前記下端側形材２は芯出しを行った上で、精度良くビス固定するようにする。
【００１２】
前記上端側形材３は、詳細には図７に示されるように、断面略Ｌ字状のアルミ形材であり、浴室壁面Ｈ側の垂直壁３Ａには、部材長手方向に適宜の間隔でビス孔３ａ、３ａ…が形成されているとともに、前記垂直壁３Ａの下縁には前記ブラケット部材４の設置部位に対応した位置に、凹状の切欠き３ｂ、３ｂ…が形成されている。また、水平面３Ｂには上面透光板７を固定するためのビスを螺入するビス孔３ｃ、３ｃ…が適宜の位置に形成されている。
【００１３】
一方、ブラケット部材４は、詳細には図５に示されるように、金属板材を加工することによって製作された平面視で略Ｈ形状を成す部材である。具体的には、浴室壁面Ｈへの取付け部側においては金属板材をＬ字状に屈曲させて一方側の壁面取付け板４Ａを形成するとともに、ウエブ４Ｃの板面を切り起こして前記壁面取付け板４Ａと対になる壁面取付け板４Ｂを形成する。これら各壁面取付け板４Ａ、４Ｂには夫々上下にビス孔４ａ…、４ｂ…が形成されている。また、先端側においては金属板材をＬ字状に屈曲させて一方側のリフレクター取付け板４Ｄを形成するとともに、ウエブ４Ｃの板面を切り起こして前記リフレクター取付け板４Ｄと対になる他方側のリフレクター取付け板４Ｅを形成している。これら各リフレクター取付け板４Ｄ、４Ｅには夫々上下にビス孔４ｄ…、４ｅ…が形成されている。また、前記リフレクター取付け板４Ｄの上部には水平板部が連設されるとともに、側縁部に起立してリフレクター掛止部４ｆが形成されている。
【００１４】
かかるブラケット部材４においては、ウエブ４Ｃの上縁及び下縁を一方側壁面取付け板４Ａの上縁及び下縁よりも外部側に突出させて係合凸部４ｃ、４ｃが形成されている（突出量：Ｓ）。
【００１５】
既に浴室壁面Ｈに固定されている前記下端側形材２をゲージとして前記ブラケット部材４を取り付けるには、図８に示されるように、下端側形材２の切欠き２ｂに対してブラケット部材４の下側の係合凸部４ｃを係合させるとともに、ブラケット部材４の壁面取付け板４Ａの下縁４ｇを前記下端側形材２に沿わせることによりブラケット部材４の水平方向の位置決めを行うとともに、垂直方向の位置決め（倒れ）を行い、ビス１１を壁面取付け板４Ａ、４Ｂのビス孔４ａ、４ｂに螺入し固定を図る。
【００１６】
次に、前記上端側形材３を持ち込み、前記ブラケット部材４の上側の係合凸部４ｃに切欠き３ｂを係合させるとともに、上端側形材３を前記ブラケット部材４の壁面取付け板４Ａの上縁４ｈに沿わせることによって上端側形材３の水平方向の位置決めとともに、レベル（傾斜調整）を確保した上で、ビス１２を上端側形材３のビス孔３ａより螺入し固定を図る（図９参照）。なお、中間部ブラケット部材４及び反対側端部のブラケット部材４についても同様の要領によって固定する。
【００１７】
その後は、照明器具５を壁面に取り付けた後、前記ブラケット部材４，４…の先端側にリフレクター６を取り付ける。このリフレクター６の取付けは、前記ブラケット部材４のリフレクター掛止部４ｆにリフレクター６の上端部を掛止するとともに、リフレクター取付け板４Ｄ、４Ｅをリフレクター６にビス止めする。
【００１８】
そして、前記ブラケット部材４の先端上部と上端側形材３との間に上面透光板７を載置し、ビス１２で固定するとともに、前記ブラケット部材４の先端下部と下端側形材２との間に下面透光板８が取り付けるようにする。また、端面に小口キャップ１３を取付けて両端面の開口を塞ぐようにする。
【００１９】
〔他の形態例〕
(1)上記形態例では、照明器具１は浴室壁面Ｈに取り付けられる鏡ユニットの上縁側に連続して設けられるものとしたが、鏡ユニット等、他の設備と分離して独立的に設けるようにしてもよい。なお、この場合には、下端側形材２、ブラケット部材４，上端側形材３の取付け順序でも良いし、上端側形材３、ブラケット部材４、下端側形材２の順序により取付けを行うようにしてもよい。
【図面の簡単な説明】
【００２０】
【図１】浴室壁面に取り付けられた照明器具１を示す、(A)は平面図、(B)は正面図である。
【図２】照明器具１の側面図である。
【図３】照明器具１の断面図である。
【図４】照明器具のベース部材２，３，４を正面から視た図である。
【図５】ブラケット部材４を示す、(A)は平面図、(B)は側面図、(C)は左正面図、(D)は右正面図である。
【図６】下端側形材２を示す、(A)は正面図、(B)は断面図（B-B線矢視）である。
【図７】上端側形材３を示す、(A)は正面図、(B)は断面図（B-B線矢視）である。
【図８】ベース部材２〜４の取付け要領を示す図である。
【図９】ベース部材２〜４の取付け状態図である。
【符号の説明】
【００２１】
１…照明器具、２…下端側形材、２ｂ…切欠き、３…上端側形材、３ｂ…切欠き、４…ブラケット部材、４Ａ…壁面取付け板、４ｃ…係合凸部、５…照明器具本体、６…リフレクター（正面側不透光部材）、７…上面透光板、８…下面透光板、Ｈ…浴室壁面
【図１】
2005235626.tif 000003
【図２】
2005235626.tif 000004
【図３】
2005235626.tif 000005
【図４】
2005235626.tif 000006
【図５】
2005235626.tif 000007
【図６】
2005235626.tif 000008
【図７】
2005235626.tif 000009
【図８】
2005235626.tif 000010
【図９】
2005235626.tif 000011